(57)【要約】【課題】ＶｏＩＰネットワークで使用するＩＰ電話機間の通話レベル測定をＩＰ電話機において実現する。【解決手段】  ＩＰ電話機２０内のレベル測定用信号発信部２０９は、入力部２１４よりレベル測定用信号発信モ−ドであるsendモ−ドとなる要求を受け付けると、指定されたレベル・周波数のコ−ドを生成し、ＬＡＮ３０を介して、通話中状態となっている相手端末に送出する。相手先のレベル測定部２１１は、レベル測定モ−ドであるreceiveモ−ドとなる要求を受け付けると、ＬＡＮ３０介して受け取った音デ−タのレベルを測定し、表示部２１５に測定した数値を表示する。【選択図】図２
2007282062.tif 000002
【特許請求の範囲】
【請求項１】
ＶｏＩＰを利用して通話を行うＩＰ電話機であって、
音声の入出力装置であるハンドセットと、
発着信処理を行う呼制御手段と、
前記呼制御手段により通話状態となった場合に、指定したレベル及び周波数の音をＬＡＮ側へ送出するレベル測定用信号発生手段と、
前記レベル測定用信号発信手段が指定したレベル及び周波数の音をＬＡＮ側に送出するときに、前記ハンドセットからの入力信号を遮断する手段と、
を備えたことを特徴とするＩＰ電話機。
【請求項２】
ＶｏＩＰを利用して通話を行うＩＰ電話機であって、
発着信状態を表示する表示手段と、
発着信処理を行う呼制御手段と、
前記呼制御手段により通話状態となった場合に、所定の操作を行うと受信している通話音声のレベルを測定する手段と、
前記測定したレベルを前記表示手段に表示させる表示指示手段と、
を備えたことを特徴とするＩＰ電話機。
【発明の詳細な説明】
【技術分野】
【０００１】
本発明は、ＶｏＩＰ（Ｖｏｉｃｅ ｏｖｅｒ ＩＰ）を利用して通話を行うＩＰ(Internet Protocol)電話システムに関し、特に、音のレベル（通話レベル）を測定する技術に関する。
【背景技術】
【０００２】
従来の電話システムでは、ＰＢＸ（Private Branch Exchange）に接続されたアナログ電話機と、音声レベルを測定するためのレベルメ−タは、同一のインタフェ−スを有しており、アナログ電話機に替えてレベルメ−タを接続することにより、電話機間の音声レベルを測定する事を可能としている。このような技術は、特許文献１にも開示されている。
【０００３】
図３は、従来の電話システムにおけるレベル測定のシステム構成図である。
【０００４】
図３において、符号４０はＰＢＸ、符号５０−１、５０−２はアナログ電話機、符号６０−１〜６０−２はレベルメ−タ、そして、符号７０は電話機用ケ−ブルである。
【０００５】
レベルメ−タ６０は、アナログ電話機５０をＰＢＸに接続する場合と同種の電話機用ケ−ブル７０にて接続することができる。
【０００６】
レベルメ−タ６０は、操作者により音を送出するモ−ドと指定されると、指定されたレベル及び周波数（例えば、−１０ｄｂ及び1，０００Ｈｚ）の音を、電話用ケ−ブル７０及びＰＢＸ４０を介して、通話中としたの相手先（例えばレベルメ−タ）に送出する。
【０００７】
受信側のレベルメ−タ６０は、操作者により受信した音のレベルを測定するモ−ドと指定されると、レベル測定用の音を送出しているレベルメ−タ６０から受信したレベルを測定し、測定した数値を画面に表示する。
【特許文献１】特開平１０−２２４４７２号公報
【発明の開示】
【発明が解決しようとする課題】
【０００８】
ところで、ＶｏＩＰを利用して通話を行うＩＰ電話システムでは、ＩＰ電話機はＬＡＮ（Local Area Network）等のネットワ−ク上にＩＰ通信システムを用いて接続される。
【０００９】
このようなネットワ−ク上に接続されるＩＰ電話機では、ＩＰ電話機自体が呼制御の機能を有している。このため、ＩＰ電話機に替えてレベルメ−タを接続する場合は、レベルメ−タが呼制御の機能を有する必要がある。従って、必要な呼制御（例えば、Ｈ.323、ＳＩＰ等）に対応したレベルメ−タを準備する必要がある。
【００１０】
また、ＩＰ電話機の場合、ＩＰ電話機自体において音声レベルの制御が可能であり、電話機間の音声レベル測定としては、ＩＰ電話機の音声レベル制御により処理された後に音声レベルの測定を行うことが望ましい。
【００１１】
また、従来の電話システムでは、電話機自体にCPUを有していないことが多く、このため、電話機自体にレベルメ−タの機能を搭載する事が困難であり、また、高価なものとなってしまう。
【００１２】
また、従来のように音声レベルの測定を行う際には、電話機に替えてレベルメ−タを接続する必要があるため、音声レベルの測定を行う度に、その都度レベルメ−タを準備する必要があり、例えば顧客からの音声レベルが合っていないので調整を依頼された場合に、迅速な対応が取れないという問題があった。
【００１３】
本発明は、上記事情に鑑みてなされたものであり、本発明の目的は、ＩＰネットワ−ク上に接続されたＩＰ電話機において、音声レベルの測定を可能とするシステムを構築できるようにすることにある。
【課題を解決するための手段】
【００１４】
上記課題を解決するために、本発明の第１のＩＰ電話機は、ＶｏＩＰを利用して通話を行うＩＰ電話機であって、音声の入出力装置であるハンドセットと、発着信処理を行う呼制御手段と、前記呼制御手段により通話状態となった場合に、指定したレベル及び周波数の音をＬＡＮ側へ送出するレベル測定用信号発生手段と、前記レベル測定用信号発信手段が指定したレベル及び周波数の音をＬＡＮ側に送出するときに、前記ハンドセットからの入力信号を遮断する手段と、を備えたことを特徴とする。
【００１５】
また、本発明の第２のＩＰ電話機は、ＶｏＩＰを利用して通話を行うＩＰ電話機であって、発着信状態を表示する表示手段と、発着信処理を行う呼制御手段と、前記呼制御手段により通話状態となった場合に、所定の操作を行うと受信している通話音声のレベルを測定する手段と、前記測定したレベルを前記表示手段に表示させる表示指示手段と、を備えたことを特徴とする。
【発明の効果】
【００１６】
本発明によれば、ＶｏＩＰを利用して通話を行うＩＰ電話システムにおいて、簡単にＩＰ電話機間の音声レベルを測定することが可能なＩＰ電話システムを構築することができる。
【００１７】
ＩＰ電話機自体が音声レベル測定の機能を有することにより、レベルメ−タに呼制御の機能を搭載する必要が無く、ＩＰ電話機が有する呼制御機能によって接続し、音声レベル測定を実施することが可能となる。
【００１８】
また、ＩＰ電話機自体で音声レベル測定を行うことにより、ＩＰ電話機の音声レベル制御により処理された後の実際、人間の耳に聞こえている音声レベルの測定を行うことが可能となる。
【００１９】
また、音声レベル測定を実施する場合に、ＩＰ電話機に替えてレベルメ−タを接続する必要が無く、迅速な対応が可能となる。
【発明を実施するための最良の形態】
【００２０】
以下、本発明の実施の形態について説明する。
【００２１】
図１は本発明におけるＩＰ電話システムのシステム構成図である。
【００２２】
図１において、符号１０はＩＰ−ＰＢＸ（ＩＰ電話機の呼処理を制御する機能を有するサ−バ）、符号２０−１〜２０−ｎはＩＰ電話機、符号３０はＬＡＮである。
【００２３】
ＩＰ電話機２０はレベル測定機能を有し、操作者からの操作によりsendモ−ドまたはreceiveモ−ドに変化し、測定に用いる音の送出、及び受信した音のレベルの測定ができる。
【００２４】
図２は、ＩＰ電話機２０の概略図である。
【００２５】
ＩＰ電話機２０は、ＭＭ２０２、ＬＡＮインタフェ−ス部２０３、制御部２０４、Ｉ・Ｏ制御部２０４、レベル測定用信号発信部２０９、レベル測定部２１０、音声処理部２１１、周辺装置部２１３より構成され、ＬＡＮ３０を介して通信を行うことができる。
【００２６】
周辺装置部２１３は、入力を行うためのボタン等から構成される入力部２１４、電話番号の表示、レベル測定結果の表示等を表示するＬＣＤやＬＥＤからなる表示部２１５および音声の入出力装置であるハンドセット２１６とを有している。
【００２７】
入力部２１４には必要に応じてタッチパネルやマウスポインタ、マイク入力を備えても構わない。
【００２８】
ＬＡＮインタフェ−ス部２０３は、例えばIEEE802.5に基づくＬＡＮ３０と接続するための部位である。
【００２９】
制御部２０４は、ＩＰ電話機からの発信、着信の呼制御を行い接続・切断処理を行わせる呼制御部２０５と、ＬＡＮインタフェ−ス部２０３を介してＬＡＮ３０と送受するパケット（ＩＰパケット）を処理する信号処理部２０７（具体的には、データを特定のサイズに分け，その特定サイズのデータのそれぞれに対し、プロトコルヘッダ、エラー検出コードなどを付加する処理（パケット化）を行ったり、その逆の処理（デパケット化）を行ったりする処理部）と、表示部２１５に表示指示を行う表示指示部２０８と、入出力する音声デ−タの音声レベルを制御するレベル制御部２０６とを有している。
【００３０】
音声処理部２１１は、音声デ−タのデジタル化およびアナログ化を行い、レベル測定用信号発信部２０９は、レベル測定用の音をデジタル化して、ＬＡＮ３０側に送出するものであり、ＬＡＮ３０より到達した音のレベルを測定する部位がレベル測定部２１０である。
【００３１】
レベル測定用信号発信（発生）部２０９は、例えばＩＰ電話機２０の入力部２１４よりレベル測定用信号発信モ−ドであるsendモ−ドとなる要求を受け付けると、指定されたレベル・周波数のコ−ドを生成し、レベル制御部２０６及び信号処理部２０７及びＬＡＮインタフェ−ス部２０３及びＬＡＮ３０を介して、通話中状態となっている相手端末（例えばＩＰ電話機２０）に送出する。
【００３２】
レベル測定部２１１は、例えばＩＰ電話機２０の入力部２１４より、レベル測定モ−ドであるreceiveモ−ドとなる要求を受け付けると、ＬＡＮ３０及びＬＡＮインタフェ−ス部２０３及び信号処理部２０７及びレベル制御部２０７を介して受け取った音デ−タのレベルを測定し、表示部２１５に測定した数値を表示する。
【００３３】
通常の通話機能を実現させるプログラムや前述したレベル測定用信号発信部２０９やレベル測定部の制御プログラム等は記憶装置であるＭＭ２０２内に格納されており、ＭＭ２０２は、制御部２０４の指示に基づいて処理を行っている。
【００３４】
また、前述した周辺装置部２１３内の表示器２１４に表示を行う場合や、入力部２１４からの入力情報の認識、それに基づく処理制御は、制御部２０４がＩ/Ｏ制御部２１２を介して行っている。
【００３５】
次に本発明のＩＰ電話機２０の動作について説明する。
【００３６】
ＩＰ電話機２０は、操作者により入力部２１４を操作され、相手先ＩＰ電話機へ発信（ダイヤル）する。前記ダイヤル情報は、制御部２０４内の呼制御部２０５で認識され所定のプロトコルを用いた発信メッセ−ジに変換され、ＩＰ−ＰＢＸ１０に送信される。
【００３７】
そのメッセ−ジを受信したＩＰ−ＰＢＸ１０は、相手先を特定し相手先のＩＰアドレスを発信元に通知する。発信元ＩＰ電話機２０は通知されたＩＰアドレスにより、所望する相手ＩＰ電話機と通話できるようになる。
【００３８】
この状態におけるＩＰ電話機２０間の音声が通過するル−トは次の通りである。（発信元）ハンドセット２１６−音声処理部２１１−レベル測定用信号発信部２０９（なにもしない状態）−レベル制御部２０６−信号処理部２０７−ＬＡＮインタフェ−ス部２０３−ＬＡＮ３０−（相手先）部２０７−ＬＡＮインタフェ−ス部２０３−信号処理部２０７−レベル制御部２０６−レベル測定部２１０（なにもしない状態）−音声処理部２１１−ハンドセット２１６と、なる。
【００３９】
この通話状態において、ＩＰ電話機２０の入力部２１４よりレベル測定用信号発信モ−ドであるsendモ−ドとなる要求を受け付けると、レベル測定用信号発信部２０９が、指定されたレベル・周波数のコ−ドを生成し、ＬＡＮ３０側に送出する。
【００４０】
このとき、レベル測定用信号発信部２０９内のスイッチによりハンドセット２１６よりの音声（デジタル音声）を遮断し、レベル測定の妨げとならないようにしている。また、このスイッチは、レベル測定をしない場合に、レベル測定用信号発信部２０９内のレベル・周波数のコ−ドを生成する部位より音を遮断するように動作し、ハンドセット２１６とＬＡＮ３０側を接続するようにしている。
【００４１】
そして、相手側ＩＰ電話機２０の入力部２１４より、レベル測定モ−ドであるreceiveモ−ドとなる要求を受け付けると、レベル測定部２１０が、受け取った音デ−タの音レベルを測定し、測定したデ−タが表示指示部２０８により表示部２１５に表示される。
【００４２】
本実施形態において、ＩＰ電話機２０はそれぞれ、音声レベル測定を行う場合の音声送出側、及び音声受信側として動作する事が可能となり、音声（通話）レベル測定の実施を可能としている。
【図面の簡単な説明】
【００４３】
【図１】本発明のシステム構成図である。
【図２】本発明のＩＰ電話機の機能ブロック図である。
【図３】従来の電話システムにおける音声レベル測定システム図である。
【符号の説明】
【００４４】
１０：ＩＰ−ＰＢＸ
２０：ＩＰ電話機
３０：ＬＡＮ
４０：ＰＢＸ
５０：アナログ電話機
６０：レベルメ−タ
７０：電話用ケ−ブル
２０３：ＬＡＮインタフェ−ス部
２０４：制御部
２０５：呼制御部
２０６：レベル制御部
２０７：信号処理部
２０９：信号発信部
２１０：レベル測定部
２１１：音声処理部
２１３：周辺装置発生
【図１】
2007282062.tif 000003
【図２】
2007282062.tif 000004
【図３】
2007282062.tif 000005